(57)【要約】  水平羽根は、長手方向に延びる平板状の部材であり、短手方向が第一の端部から第一の端部の反対側の第二の端部まで延びると共に、長手方向に沿う回転軸を中心に回動する羽根本体を有し、回転軸から羽根本体に対して引かれた垂線が羽根本体と交わる点を回転軸対応点とし、第一の端部から回転軸対応点までの長さをＡとし、第一の端部から第二の端部までの長さをＢとすると、０．４＜Ａ／Ｂ＜０．６である。
2021038646.tif 000002
【特許請求の範囲】
【請求項１】
長手方向に延びる平板状の部材であり、短手方向が第一の端部から前記第一の端部の反対側の第二の端部まで延びると共に、長手方向に沿う回転軸を中心に回動する羽根本体を有し、
前記回転軸から前記羽根本体に対して引かれた垂線が前記羽根本体と交わる点を回転軸対応点とし、
前記第一の端部から前記回転軸対応点までの長さをＡとし、前記第一の端部から前記第二の端部までの長さをＢとすると、０．４＜Ａ／Ｂ＜０．６である
水平羽根。
【請求項２】
０．４６≦Ａ／Ｂ＜０．４７である
請求項１に記載の水平羽根。
【請求項３】
空気を吹き出す吹出口が形成された筐体と、
前記筐体の左右方向に延びるように前記筐体に設けられ、前記筐体の上下方向に回動し、前記吹出口から吹き出される空気の上下方向を調整する請求項１又は請求項２に記載の複数の水平羽根と、
前記吹出口の左右方向の端部に位置するように前記筐体に設けられ、複数の前記水平羽根を回動させる水平駆動装置と、
前記吹出口の左右方向の中間に位置するように前記筐体に設けられ、左右方向に貫通した円形の開口である中間開口が形成された上下方向に延びる平板状の部材である中間接続部と、
前記中間開口に挿入される棒状の部材である水平羽根固定部と、
前記吹出口の前記水平駆動装置と反対側の端部に位置するように前記筐体に設けられ、左右方向に凹状に形成された円形の開口である端部開口が形成された平板状の部材である端部接続部と、を備え、
それぞれの前記水平羽根は、
前記羽根本体の一面に接続され、前記一面の向く方向に延びると共に、前記羽根本体の長手方向に貫通した円形の開口である軸開口に前記水平駆動装置が挿入された軸部と、
前記羽根本体の前記一面に接続され、前記一面の向く方向に延びると共に、前記水平羽根固定部が嵌合する溝である中間支持溝が形成された中間支持部と、
前記羽根本体の前記一面に接続され、前記一面の向く方向に延びると共に、前記端部開口に挿入される棒状の部材である端部支持棒が設けられた端部支持部と、を更に有する
吹出グリル。
【請求項４】
前記水平駆動装置と前記中間接続部との間隔は、
前記中間接続部と前記端部接続部との間隔と等しい
請求項３に記載の吹出グリル。
【請求項５】
前記水平駆動装置は、
複数の前記水平羽根を接続し、複数の前記水平羽根を共通の角度で回動させる水平リンクを有する
請求項３又は請求項４に記載の吹出グリル。
【請求項６】
前記筐体に設けられ、前記筐体の左右方向に回動し、前記吹出口から吹き出される空気の左右方向を調整する複数の垂直羽根を更に備え、
それぞれの前記垂直羽根は、
平板状の部材であり、長手が上下方向に延び、短手が前記筐体の内部側に位置する第三の端部から室内側に位置する第四の端部まで延びており、
それぞれの前記垂直羽根の前記第四の端部は、
前記垂直羽根が最大角度まで回動した際に、隣接する前記垂直羽根の前記第三の端部と前記筐体の幅方向に間隔が形成されている
請求項３〜請求項５のいずれか１項に記載の吹出グリル。
【請求項７】
複数の前記垂直羽根を接続し、複数の前記垂直羽根を共通の角度で回動させる垂直リンクを有する垂直駆動装置を更に備える
請求項６に記載の吹出グリル。
【請求項８】
請求項３〜請求項７のいずれか１項に記載の吹出グリルと、
前記吹出グリルが接続される室内機本体と、
前記室内機本体の内部に格納される室内送風機と、を備えた
空気調和機の室内機。
【発明の詳細な説明】
【技術分野】
【０００１】
本発明は、空気の流れる方向を変える水平羽根、水平羽根を有する吹出グリル及び吹出グリルを備える空気調和機の室内機に関する。
【背景技術】
【０００２】
従来、空気調和機の室内機において吹出グリルに設けられ、室内機の上下方向に回動することで、吹出口から吹き出される空気の上下方向を調整する水平羽根が知られている。このような水平羽根は、長方形の平板状の部材であり、長手方向が吹出グリルの左右方向に延び、短手方向が第一の端部から第二の端部まで延びている羽根本体を有している。【０００３】
特許文献１には、羽根本体の回転軸から引かれた垂線が羽根本体と交わる点を回転軸対応点と定め、第一の端部から回転軸対応点までの長さをＡとし、第一の端部から第二の端部までの長さをＢとした際に、０．２≦Ａ／Ｂ≦０．４となるように形成された水平羽根が開示されている。特許文献１の水平羽根は、０．２≦Ａ／Ｂ≦０．４であるため、空気調和機の運転時において、室内方向に長く突き出ている。特許文献１の水平羽根は、これにより、気流の分散を抑制すると共に、気流の到達距離を伸ばそうとするものである。
【先行技術文献】
【特許文献】
【０００４】
【特許文献１】中国実用新案公告第２０３２３１４８８号明細書
【発明の概要】
【発明が解決しようとする課題】
【０００５】
しかしながら、特許文献１に開示された水平羽根は、回転軸対応点が第一の端部に過度に接近している。即ち、水平羽根の重心と回転軸との距離が遠くなる。このため、特許文献１の水平羽根が室内機の吹出グリルに適用された際において、水平羽根を回動させるモータは、水平羽根の自重による影響を大きく受ける。したがって、モータは、水平羽根を回動させるために必要な力が大きい。【０００６】
本発明は、上記のような課題を解決するためになされたもので、水平羽根が室内機の吹出グリルに適用された際であっても、モータが水平羽根を回動させるために必要な力を小さくする水平羽根を提供するものである。
【課題を解決するための手段】
【０００７】
本発明に係る水平羽根は、長手方向に延びる平板状の部材であり、短手方向が第一の端部から第一の端部の反対側の第二の端部まで延びると共に、長手方向に沿う回転軸を中心に回動する羽根本体を有し、回転軸から羽根本体に対して引かれた垂線が羽根本体と交わる点を回転軸対応点とし、第一の端部から回転軸対応点までの長さをＡとし、第一の端部から第二の端部までの長さをＢとすると、０．４＜Ａ／Ｂ＜０．６である。
【発明の効果】
【０００８】
本発明によれば、水平羽根は、第一の端部から回転軸対応点までの長さＡ及び、第一の端部から第二の端部までの長さＢについて、０．４＜Ａ／Ｂ＜０．６となるように形成されている。このため、水平羽根の重心と回転軸の距離とが近づけられる。したがって、本発明の水平羽根が室内機の吹出グリルに適用された際であっても、モータは、水平羽根を回動させるために必要な力が小さくなる。
【図面の簡単な説明】
【０００９】
【図１】実施の形態１に係る空気調和機１を示す回路図である。
【図２】実施の形態１に係る室内機３を示す内部構成図である。
【図３】実施の形態１に係る室内機３を示す斜視図である。
【図４】実施の形態１に係る吹出グリル１６を示す斜視図である。
【図５】実施の形態１に係る駆動装置２２及び水平羽根２６を示す斜視図である。
【図６】実施の形態１に係る駆動装置２２を示す斜視図である。
【図７】実施の形態１に係る駆動装置２２を示す図６と異なる方向からの斜視図である。
【図８】実施の形態１に係る吹出グリル１６を示す背面斜視図である。
【図９】実施の形態１に係る吹出グリル１６の一部を示す背面図である。
【図１０】実施の形態１に係る水平羽根２６を示す斜視図である。
【図１１】実施の形態１に係る水平羽根２６を示す側面図である。
【図１２】実施の形態１に係る吹出グリル１６を示す上視図である。
【図１３】比較例に係る吹出グリル１６のシミュレーション結果である。
【図１４】実施の形態１に係る吹出グリル１６のシミュレーション結果である。
【発明を実施するための形態】
【００１０】
実施の形態１．
以下、実施の形態１に係る空気調和機１の室内機３について、図面を参照しながら説明する。図１は、実施の形態１に係る空気調和機１を示す回路図である。図２は、実施の形態１に係る室内機３を示す内部構成図である。図１に示すように、空気調和機１は、室外機２、室内機３及び冷媒配管４を有している。なお、図１では、１台の室内機３を例示しているが、室内機３の台数は、２台以上でもよい。
【００１１】
（室外機２、室内機３、冷媒配管４）
室外機２は、圧縮機６、流路切替装置７、室外熱交換器８、室外送風機９及び膨張部１０を有している。図２に示すように、室内機３は、室内機本体１５及び吹出グリル１６を有している。室内機本体１５は、室内機３の外殻を構成するものであり、天井に埋め込まれている。また、室内機本体１５は、例えば、樹脂製である。なお、室内機本体１５は、天井に埋め込まれなくてもよい。室内機本体１５は、室内熱交換器１１及び室内送風機１２を有している。冷媒配管４は、圧縮機６、流路切替装置７、室外熱交換器８、膨張部１０及び室内熱交換器１１を接続すると共に、内部に冷媒が流れることで冷媒回路５を構成するものである。
【００１２】
（圧縮機６、流路切替装置７、室外熱交換器８、室外送風機９）
圧縮機６は、冷媒を圧縮するものである。流路切替装置７は、冷媒の流通方向を切り替えるものであり、例えば四方弁である。室外熱交換器８は、冷媒と熱媒体である室外空気とを熱交換するものであり、例えばフィンアンドチューブ型熱交換器である。室外送風機９は、室外熱交換器８に熱媒体である室外空気を送るものである。
【００１３】
（膨張部１０、室内熱交換器１１、室内送風機１２）
膨張部１０は、冷媒を膨張及び減圧するものである。室内熱交換器１１は、冷媒と室内空気とを熱交換するものである。室内送風機１２は、室内熱交換器１１に室内空気を送るものである。
【００１４】
次に、空気調和機１の動作について説明する。先ず、冷房運転について説明する。冷媒は、圧縮機６に吸入され、圧縮機６によって圧縮されて高温且つ高圧のガスの状態で吐出する。吐出した冷媒は、流路切替装置７を通過して、室外熱交換器８に流入する。室外熱交換器８に流入した冷媒は、熱媒体である室外空気と熱交換されて凝縮される。凝縮された冷媒は、各室内機３の膨張部１０に流入し、膨張部１０によって膨張及び減圧される。減圧された冷媒は、室内熱交換器１１に流入する。室内熱交換器１１に流入した冷媒は、室内空気と熱交換されて蒸発される。その際、室内空気が冷却されて室内が冷房される。その後、蒸発された冷媒は、流路切替装置７を通過して、圧縮機６に吸入される。
【００１５】
次に、暖房運転について説明する。冷媒は、圧縮機６に吸入され、圧縮機６によって圧縮されて高温且つ高圧のガスの状態で吐出する。吐出した冷媒は、流路切替装置７を通過して、各室内機３の室内熱交換器１１に流入する。室内熱交換器１１に流入した冷媒は、室内空気と熱交換されて凝縮される。その際、室内空気が加熱されて室内が暖房される。凝縮された冷媒は、膨張部１０に流入し、膨張部１０によって膨張及び減圧される。減圧された冷媒は、室外熱交換器８に流入する。室外熱交換器８に流入した冷媒は、熱媒体である室外空気と熱交換されて蒸発される。その後、蒸発された冷媒は、流路切替装置７を通過して、圧縮機６に吸入される。
【００１６】
（吹出グリル１６）
図３は、実施の形態１に係る室内機３を示す斜視図である。図２及び図３に示すように、吹出グリル１６は、室内機本体１５に接続され、室内機３前面の外殻を構成すると共に、室内機本体１５の内部で調和された空気を室内に送るものである。なお、吹出グリル１６は、空気が通るダクト（図示せず）を介して室内機本体１５と接続されていてもよい。吹出グリル１６は、吹出口３１が形成された筐体２１、駆動装置２２（図６参照）、端部接続部２３（図４参照）、中間接続部２４（図４参照）、水平羽根固定部２５（図９参照）、４枚の水平羽根２６及び１２枚の垂直羽根２７（図８参照）を有する。
【００１７】
（筐体２１）
図４は、実施の形態１に係る吹出グリル１６を示す斜視図である。図４に示すように、筐体２１は、例えば、樹脂及び金属製であり、吹出グリル１６の外殻を構成するものである。筐体２１の前面には、室内に空気を吹き出す開口である吹出口３１が形成されている。即ち、筐体２１は、前面に吹出口３１が形成された枠状の部材である。
【００１８】
（駆動装置２２）
図５は、実施の形態１に係る駆動装置２２及び水平羽根２６を示す斜視図である。図６は、実施の形態１に係る駆動装置２２を示す斜視図である。そして、図７は、実施の形態１に係る駆動装置２２を示す図６と異なる方向からの斜視図である。図５〜図７に示すように、駆動装置２２は、水平羽根２６及び垂直羽根２７を同軸駆動するものである。駆動装置２２は、取付部３２、水平駆動装置３３及び垂直駆動装置３４（図８参照）を有する。取付部３２は、上下方向に延びており、吹出口３１の左右方向の一端に位置するように筐体２１に設けられる。取付部３２は、水平駆動装置３３及び垂直駆動装置３４が取り付けられるものである。
【００１９】
（水平駆動装置３３）
水平駆動装置３３は、水平羽根２６を上下方向に回動させるものであり、吹出口３１の左右方向の端部に位置するように筐体２１に設けられる。水平駆動装置３３は、２つの水平モータ５１、４つのアーム５２及び２つの水平リンク５３を有する。水平モータ５１は、側方に延びる軸（図示せず）を有し、水平羽根２６を回動させる動力を生じさせるものである。それぞれの水平モータ５１は、上下方向に延びる取付部３２の上部及び下部に設けられている。アーム５２は、水平羽根２６及び水平モータ５１に接続され、水平モータ５１によって生じた動力を水平羽根２６に伝達するものである。それぞれのアーム５２は、取付部３２の上下方向に等間隔に並んで設けられており、モータ挿入部８１、水平羽根接続部８２、リンク接続部８３を有する。
【００２０】
モータ挿入部８１は、中空の円筒状の部材であり、水平モータ５１の軸が挿入されるものである。本実施の形態１においては、最上部及び最下部の２つのモータ挿入部８１に水平モータ５１の軸が挿入されており、中部の２つのモータ挿入部８１には、水平モータ５１の軸が挿入されていない。水平羽根接続部８２は、モータ挿入部８１の端部に接続される棒状の部材であり、後述する水平羽根２６の軸開口７４に挿入されるものである。リンク接続部８３は、モータ挿入部８１から側方に延びる部材であり、水平リンク５３を接続するものである。水平リンク５３は、２つのアーム５２を接続し、２つの水平羽根２６を共通の角度で回動させるものである。即ち、水平駆動装置３３は、上部と下部に設けられた２つの水平モータ５１が水平リンク５３を介して、それぞれ２つの水平羽根２６を回動させることで、合計４つの水平羽根２６を回動させる。なお、水平モータ５１の数及び水平リンク５３が接続するアーム５２の数等は、限定されるものではなく、水平羽根２６の設置数等に応じて、変更されてもよい。また、水平駆動装置３３は、歯車式であってもよい。
【００２１】
（垂直駆動装置３４）
図８は、実施の形態１に係る吹出グリル１６を示す背面斜視図である。垂直駆動装置３４は、垂直羽根２７を左右方向に回動させるものである。図８に示すように、垂直駆動装置３４は、垂直モータ６１、回転部６２及び垂直リンク６３を有する。垂直モータ６１は、上下方向に延びる軸（図示せず）を有し、垂直羽根２７を回動させる動力を生じさせるものである。回転部６２は、略円筒形の部材であり、吹出口３１の上部及び下部に１２個ずつ等間隔に位置するように筐体２１に設けられる。回転部６２は、垂直羽根２７を上下から挟むように筐体２１に固定するものであり、垂直羽根２７に接している面が垂直羽根２７を伴って左右方向に回動する。垂直リンク６３は、吹出口３１の左右方向に延びる平板状の部材であり、垂直モータ６１に接続されると共に、後述するそれぞれの垂直羽根２７のリンク溝９３に嵌合している。垂直リンク６３は、垂直モータ６１によって生じた動力を垂直羽根２７に伝達し、それぞれの垂直羽根２７を共通の角度で回動させるものである。
【００２２】
（端部接続部２３）
図４に示すように、端部接続部２３は、吹出口３１において水平駆動装置３３と反対側の他端に位置するように筐体２１に設けられた平板状の部材であり、吹出口３１の左右方向に凹状に形成された円形の開口である端部開口３５が形成されている。
【００２３】
（中間接続部２４、水平羽根固定部２５）
図９は、実施の形態１に係る吹出グリル１６の一部を示す背面図である。図９に示すように、中間接続部２４は、筐体２１の幅方向の中央において上下方向に延びるように設けられた平板状の部材であり、左右方向に貫通した円形の開口である中間開口３６が形成されている。即ち、水平駆動装置３３と中間接続部２４との間隔は、中間接続部２４と端部接続部２３との間隔と等しい。なお、中間接続部２４は、駆動装置２２の取付部３２と端部接続部２３の間に位置していれば、幅方向の中央以外の位置に設けられていてもよいし、複数設けられていてもよい。図９に示すように、水平羽根固定部２５は、水平羽根２６を筐体２１に固定するものであり、中間開口３６に挿入される棒状の部材であるピン部３７及びピン部３７の一端の全周からピン部３７の径方向に突出した突起部３８を有する。
【００２４】
（水平羽根２６）
図１０は、実施の形態１に係る水平羽根２６を示す斜視図である。図１１は、実施の形態１に係る水平羽根２６を示す側面図である。水平羽根２６は、筐体２１の上下方向に回動し、吹出口３１から吹き出される空気の上下方向を調整するものである。図１０に示すように、水平羽根２６は、羽根本体４１、軸部４２、端部支持部４３及び中間支持部４４を有する。羽根本体４１は、略長方形の平板状の部材であり、長手方向が筐体２１の左右方向に延び、短手方向が第一の端部７１から第一の端部７１の反対の第二の端部７２まで延びている。羽根本体４１は、長手方向に沿う回転軸Ｒを中心に回動する。ここで、図１１に示すように、回転軸Ｒから羽根本体４１に対して引かれた垂線Ｐが羽根本体４１と交わる点を回転軸対応点７３とする。更に、第一の端部７１から回転軸対応点７３までの羽根本体４１の短手方向の長さをＡとし、第一の端部７１から第二の端部７２までの羽根本体４１の短手方向の長さをＢとすると、Ａ／Ｂは、０．４６である。なお、水平羽根２６の重心と回転軸Ｒとの距離が十分に近づけられればよく、０．４＜Ａ／Ｂ＜０．６を満たせばよい。
【００２５】
軸部４２は、羽根本体４１の長手方向の端部の下面に接続され、下方に延びる部材である。軸部４２には、羽根本体４１の長手方向に貫通した円形の開口である軸開口７４が形成されている。軸開口７４には、アーム５２の水平羽根接続部８２が挿入される（図６参照）。端部支持部４３は、羽根本体４１の下面且つ軸部４２と反対の他端に接続され、下方に延びる部材である。端部支持部４３には、棒状の部材であり、羽根本体４１の長手方向を外側に向かって延びる端部支持棒７５が設けられている。端部支持棒７５は、端部接続部２３の端部開口３５に挿入される（図４参照）。
【００２６】
中間支持部４４は、羽根本体４１の中央部に設けられ、嵌合部７６及び水平羽根固定部受け７７を有する。嵌合部７６は、羽根本体４１の下面に接続され、下方に延びる部材である。嵌合部７６には、水平羽根固定部２５の突起部３８が嵌合する溝である中間支持溝７８が形成されている。水平羽根固定部受け７７は、羽根本体４１の下面且つ羽根本体４１の中央に接続され、下方に延びる部材である。水平羽根固定部受け７７には、中間開口３６に挿入された水平羽根固定部２５の先端が接する（図９参照）。なお、中間支持部４４は、中間接続部２４の数に合わせて、複数設けられていてもよい。更に、軸部４２、端部支持部４３及び中間支持部４４は、同一面上に位置していればよく、羽根本体４１の上面に設けられていてもよい。また、更に、水平羽根２６は、１〜３枚又は５枚以上でもよい。
【００２７】
（垂直羽根２７）
図１２は、実施の形態１に係る吹出グリル１６を示す上視図である。垂直羽根２７は、筐体２１の左右方向に回動し、吹出口３１から吹き出される空気の左右方向を調整するものである。図８に示すように、垂直羽根２７は、略長方形の平板状の部材であり、長手方向が上下方向に延び、短手方向が筐体２１の内部側に位置する第三の端部９１から室内側に位置する第四の端部９２まで延びている。垂直羽根２７には、垂直リンク６３が嵌合するリンク溝９３が形成されている。図１２に示すように、それぞれの垂直羽根２７の第四の端部９２は、垂直羽根２７が最大角度まで回動した際に、隣接する垂直羽根２７の第三の端部９１と筐体２１の幅方向に間隔Ｋが形成されている。なお、垂直羽根２７は、１〜１１枚又は１３枚以上でもよい。
【００２８】
ここで、筐体２１と水平羽根２６との組立について、説明する。先ず、水平羽根２６の軸開口７４に駆動装置２２の水平羽根接続部８２が挿入される。次に、端部接続部２３の端部開口３５に担持支持部の端部支持棒７５が挿入される。この際に、中間接続部２４は、中間支持部４４の水平羽根固定部受け７７と嵌合部７６との間に位置が合わせられる。そして、水平羽根固定部２５は、ピン部３７の先端が中間支持部４４の水平羽根固定部受け７７に当たるように中間接続部２４の中間開口３６と中間支持溝７８に挿入される。また、この際に、水平羽根固定部２５の突起部３８が中間支持部４４の中間支持溝７８に嵌合する。
【００２９】
また、ここで、空気調和機１の送風能力について、説明する。図１３は、比較例に係る吹出グリル１６のシミュレーション結果である。図１４は、実施の形態１に係る吹出グリル１６のシミュレーション結果である。本実施の形態１の送風能力について、図１３及び図１４を比較することで詳細に説明する。比較例に係る水平羽根は、Ａ／Ｂが０．３３である点で本実施の形態１と異なる。図１３及び図１４に示すように、本実施の形態１と比較例とにおいて、気流の到達距離及び到達位置毎の風速について、大きな違いが見受けられない。即ち、本実施の形態１の室内機３は、比較例の室内機３と同程度の送風能力を有する。
【００３０】
本実施の形態１によれば、水平羽根２６は、第一の端部７１から回転軸対応点７３までの長さＡ及び、第一の端部７１から第二の端部７２までの長さＢについて、０．４＜Ａ／Ｂ＜０．６となるように形成されている。このため、水平羽根２６の重心と回転軸Ｒの距離とが近づけられる。したがって、本発明の水平羽根２６が室内機３の吹出グリル１６に適用された際であっても、モータは、水平羽根２６を回動させるために必要な力が小さくなる。
【００３１】
また、本実施の形態１によれば、水平羽根２６の重心と回転軸との距離が近づけられている。このため、水平羽根２６は、室内側に突き出している長さが短くなる。したがって、室内機３の運転時において、意匠性が悪化することを抑制することができる。
【００３２】
概して、水平羽根２６の室内側に突き出している長さが短くなることで、吹き出される空気が分散し、空気の到達距離が短くなるおそれがある。本実施の形態１によれば、水平羽根２６は、Ａ／Ｂが０．４６であると共に、それぞれの前記垂直羽根２７の前記第四の端部９２は、垂直羽根２７が最大角度まで回動した際に、隣接する垂直羽根２７の第三の端部９１と筐体２１の幅方向に間隔Ｋが形成されている。この際、吹出グリル１６は、水平羽根２６の室内側に突き出している長さを短くしつつ、比較例の室内機３と同程度の送風能力を有する。したがって、水平羽根２６を回動させるために必要な力を小さくしつつ、高い送風能力を維持することができる。
【００３３】
また、本実施の形態１によれば、軸部４２において、軸開口７４に水平駆動装置３３が挿入される。また、中間支持部４４が水平羽根固定部２５によって、中間接続部２４に固定される。そして、端部支持部４３は、端部支持棒７５が端部開口３５に挿入される。このように、それぞれの水平羽根２６は、上下方向に回動可能な機構を有している。したがって、それぞれの水平羽根２６が吹出口３１の一端に位置するように筐体２１に設けられた水平駆動装置３３によって、空気を吹き出す向きを円滑に調整することができる。
【００３４】
更に、本実施の形態１によれば、水平駆動装置３３と中間接続部２４との間隔は、中間接続部２４と端部接続部２３との間隔と等しい。このため、水平モータ５１から水平羽根２６に加えられた力は、水平羽根２６の全幅にわたって、均等に作用する。したがって、水平羽根２６の他端の回動が遅れてしまうことで吹き出される空気が分散することを抑制し、空気の到達距離を伸ばすことができる。
【００３５】
また、更に、本実施の形態１によれば、水平駆動装置３３は、水平リンク５３を有する。このため、複数の水平羽根２６は、共通の角度で回動する。したがって、吹き出される空気が上下方向に分散することを抑え、空気の到達距離を伸ばすことができる。
【００３６】
また、本実施の形態１によれば、垂直駆動装置３４は、垂直リンク６３を有する。このため、複数の垂直羽根２７は、共通の角度で回動する。したがって、吹き出される空気が左右方向に分散することを抑え、空気の到達距離を伸ばすことができる。
【符号の説明】
【００３７】
１  空気調和機、２  室外機、３  室内機、４  冷媒配管、５  冷媒回路、６  圧縮機、７  流路切替装置、８  室外熱交換器、９  室外送風機、１０  膨張部、１１  室内熱交換器、１２  室内送風機、１５  室内機本体、１６  吹出グリル、２１  筐体、２２  駆動装置、２３  端部接続部、２４  中間接続部、２５  水平羽根固定部、２６  水平羽根、２７  垂直羽根、３１  吹出口、３２  取付部、３３  水平駆動装置、３４  垂直駆動装置、３５  端部開口、３６  中間開口、３７  ピン部、３８  突起部、４１  羽根本体、４２  軸部、４３  端部支持部、４４  中間支持部、５１  水平モータ、５２  アーム、５３  水平リンク、６１  垂直モータ、６２  回転部、６３  垂直リンク、７１  第一の端部、７２  第二の端部、７３  回転軸対応点、７４  軸開口、７５  端部支持棒、７６  嵌合部、７７  水平羽根固定部受け、７８  中間支持溝、８１  モータ挿入部、８２  水平羽根接続部、８３  リンク接続部、９１  第三の端部、９２  第四の端部、９３  リンク溝。
【図１】
2021038646.tif 000003
【図２】
2021038646.tif 000004
【図３】
2021038646.tif 000005
【図４】
2021038646.tif 000006
【図５】
2021038646.tif 000007
【図６】
2021038646.tif 000008
【図７】
2021038646.tif 000009
【図８】
2021038646.tif 000010
【図９】
2021038646.tif 000011
【図１０】
2021038646.tif 000012
【図１１】
2021038646.tif 000013
【図１２】
2021038646.tif 000014
【図１３】
2021038646.tif 000015
【図１４】
2021038646.tif 000016
【手続補正書】
【提出日】令和3年8月11日(2021.8.11)
【手続補正２】
【補正対象書類名】明細書
【補正対象項目名】０００１
【補正方法】変更
【補正の内容】
【０００１】
本発明は、空気の流れる方向を変える水平羽根を有する吹出グリル及び吹出グリルを備える空気調和機の室内機に関する。
【手続補正３】
【補正対象書類名】明細書
【補正対象項目名】０００６
【補正方法】変更
【補正の内容】
【０００６】
本発明は、上記のような課題を解決するためになされたもので、モータが水平羽根を回動させるために必要な力を小さくする吹出グリル及び空気調和機の室内機を提供するものである。
【手続補正４】
【補正対象書類名】明細書
【補正対象項目名】０００７
【補正方法】変更
【補正の内容】
【０００７】
本発明に係る吹出グリルは、空気を吹き出す吹出口が形成された筐体と、筐体の左右方向に延びるように筐体に設けられ、筐体の上下方向に回動し、吹出口から吹き出される空気の上下方向を調整する複数の水平羽根と、筐体に設けられ、筐体の左右方向に回動し、吹出口から吹き出される空気の左右方向を調整する複数の垂直羽根と、を備え、水平羽根は、長手方向に延びる平板状の部材であり、短手方向が第一の端部から第一の端部の反対側の第二の端部まで延びると共に、長手方向に沿う回転軸を中心に回動する羽根本体を有し、回転軸から羽根本体に対して引かれた垂線が羽根本体と交わる点を回転軸対応点とし、第一の端部から回転軸対応点までの長さをＡとし、第一の端部から第二の端部までの長さをＢとすると、０．４＜Ａ／Ｂ＜０．６であり、それぞれの垂直羽根は、平板状の部材であり、長手が上下方向に延び、短手が筐体の内部側に位置する第三の端部から室内側に位置する第四の端部まで延びており、それぞれの垂直羽根の第四の端部は、垂直羽根が最大角度まで回動した際に、隣接する垂直羽根の第三の端部と筐体の幅方向に間隔が形成されている。
【手続補正５】
【補正対象書類名】特許請求の範囲
【補正対象項目名】全文
【補正方法】変更
【補正の内容】
【特許請求の範囲】
【請求項１】
空気を吹き出す吹出口が形成された筐体と、
前記筐体の左右方向に延びるように前記筐体に設けられ、前記筐体の上下方向に回動し、前記吹出口から吹き出される空気の上下方向を調整する複数の水平羽根と、
前記筐体に設けられ、前記筐体の左右方向に回動し、前記吹出口から吹き出される空気の左右方向を調整する複数の垂直羽根と、を備え、
前記水平羽根は、
長手方向に延びる平板状の部材であり、短手方向が第一の端部から前記第一の端部の反対側の第二の端部まで延びると共に、長手方向に沿う回転軸を中心に回動する羽根本体を有し、
前記回転軸から前記羽根本体に対して引かれた垂線が前記羽根本体と交わる点を回転軸対応点とし、
前記第一の端部から前記回転軸対応点までの長さをＡとし、前記第一の端部から前記第二の端部までの長さをＢとすると、０．４＜Ａ／Ｂ＜０．６であり、
それぞれの前記垂直羽根は、
平板状の部材であり、長手が上下方向に延び、短手が前記筐体の内部側に位置する第三の端部から室内側に位置する第四の端部まで延びており、
それぞれの前記垂直羽根の前記第四の端部は、
前記垂直羽根が最大角度まで回動した際に、隣接する前記垂直羽根の前記第三の端部と前記筐体の幅方向に間隔が形成されている
吹出グリル。
【請求項２】
０．４６≦Ａ／Ｂ＜０．４７である
請求項１に記載の吹出グリル。
【請求項３】
前記吹出口の左右方向の端部に位置するように前記筐体に設けられ、複数の前記水平羽根を回動させる水平駆動装置と、
前記吹出口の左右方向の中間に位置するように前記筐体に設けられ、左右方向に貫通した円形の開口である中間開口が形成された上下方向に延びる平板状の部材である中間接続部と、
前記中間開口に挿入される棒状の部材である水平羽根固定部と、
前記吹出口の前記水平駆動装置と反対側の端部に位置するように前記筐体に設けられ、左右方向に凹状に形成された円形の開口である端部開口が形成された平板状の部材である端部接続部と、を更に備え、
それぞれの前記水平羽根は、
前記羽根本体の一面に接続され、前記一面の向く方向に延びると共に、前記羽根本体の長手方向に貫通した円形の開口である軸開口に前記水平駆動装置が挿入された軸部と、
前記羽根本体の前記一面に接続され、前記一面の向く方向に延びると共に、前記水平羽根固定部が嵌合する溝である中間支持溝が形成された中間支持部と、
前記羽根本体の前記一面に接続され、前記一面の向く方向に延びると共に、前記端部開口に挿入される棒状の部材である端部支持棒が設けられた端部支持部と、を更に有する
請求項１又は請求項２に記載の吹出グリル。
【請求項４】
前記水平駆動装置と前記中間接続部との間隔は、
前記中間接続部と前記端部接続部との間隔と等しい
請求項３に記載の吹出グリル。
【請求項５】
前記水平駆動装置は、
複数の前記水平羽根を接続し、複数の前記水平羽根を共通の角度で回動させる水平リンクを有する
請求項３又は請求項４に記載の吹出グリル。
【請求項６】
複数の前記垂直羽根を接続し、複数の前記垂直羽根を共通の角度で回動させる垂直リンクを有する垂直駆動装置を更に備える
請求項１〜請求項５のいずれか１項に記載の吹出グリル。
【請求項７】
請求項１〜請求項６のいずれか１項に記載の吹出グリルと、
前記吹出グリルが接続される室内機本体と、
前記室内機本体の内部に格納される室内送風機と、を備えた
空気調和機の室内機。
【国際調査報告】
2021038646.tif 000017
2021038646.tif 000018
2021038646.tif 000019
2021038646.tif 000020